(57)【特許請求の範囲】
【請求項１】
少なくとも１つの開口付き保護固定層を備え、前記開口付き保護固定層には縦方向に沿ってその上下両端面を貫通する開口が設けられ、前記開口は傷口を開口内に包んで、前記開口付き保護固定層は傷口張力増加及び傷口皮膚の移動皺を制限し、
前記開口付き保護固定層は柔軟性開口保護固定層及び剛性開口保護固定層を備え、前記剛性開口保護固定層にはキャビテイが設けられ、
前記柔軟性開口保護固定層及び前記剛性開口保護固定層は一緒に粘着され、開口は互いに対応し、
前記開口付き保護固定層にはさらにカバー部材が設置されて、前記開口の端口を開けるか又は閉鎖し、
前記カバー部材は前記開口付き保護固定層に取り外し可能に固定されることを特徴とする傷口保護固定装置。
【請求項２】
前記開口付き保護固定層における傷口皮膚に近い片側の表面に粘着層が設置されることを特徴とする請求項１に記載の傷口保護固定装置。
【請求項３】
前記カバー部材の傷口皮膚に近い片側にはパッドが設置されることを特徴とする請求項１に記載の傷口保護固定装置。
【請求項４】
前記カバー部材の辺縁には突出翼が設置されることを特徴とする請求項１に記載の傷口保護固定装置。
【請求項５】
前記剛性開口保護固定層には前記キャビテイと外界を連通して物件を進出させる通路が形成されることを特徴とする請求項１に記載の傷口保護固定装置。
【請求項６】
前記剛性開口保護固定層の縦方向の断面は台形であることを特徴とする請求項１に記載の傷口保護固定装置。
【請求項７】
前記柔軟性開口保護固定層は前記剛性開口保護固定層の下面又は上面に設置され、前記柔軟性開口保護固定層の外境界は前記剛性開口保護固定層の外境界を越えることを特徴とする請求項１に記載の傷口保護固定装置。
【請求項８】
前記開口付き保護固定層の辺縁にはＵ字状の切欠口が設けられることを特徴とする請求項１に記載の傷口保護固定装置。
【請求項９】
支持体をさらに備え、前記支持体は少なくとも前記剛性開口保護固定層の上部に固定され且つ前記カバー部材と傷口皮膚との間に位置することを特徴とする請求項１に記載の傷口保護固定装置。
【請求項１０】
前記支持体は、支持ストリップ、支持シート、支持塊又は支持フレームであることを特徴とする請求項９に記載の傷口保護固定装置。
【請求項１１】
前記開口付き保護固定層は異なる材質の多層から組み合った組合体であることを特徴とする請求項１に記載の傷口保護固定装置。
【請求項１２】
前記開口付き保護固定層の外境界と開口は隙間によって連通されることを特徴とする請求項１に記載の傷口保護固定装置。
【発明の詳細な説明】
【技術分野】
【０００１】
本発明は、医用補助設備に関するものであって、特に傷口保護固定装置に関するものである。
【背景技術】
【０００２】
人々の一生において多い原因のため身体が損傷を受けて傷口を招く、例えば、外傷傷口、手術傷口及びカテーテル輸注傷口などである。傷口があると傷口を保護しなければならなく、傷口が感染して招くひどい合併症を免れる。だから、優れる傷口保護技術及び製品は、傷口の癒合を加速することに対して極めて重要である。現在の臨床医学上で主に傷口被覆材で傷口を保護し、これらの製品は主にスパンレース不織布、透明フィルム被覆材、フォーム被覆材、フォームファイリング（ｆｏａｍ  ｆｉｌｉｎｇ）被覆材、ハイドロコロイド（ｈｙｄｒｏｃｏｌｌｏｉｄ）被覆材及び機能性被覆材などを備え、異なるタイプの傷口に対して異なるタイプの被覆材を採用して保護することにより最も良い効果に達することができ、もし保護方法、技術及び製品が適当ではないと反って傷口の損傷を悪化させる。だから従来の傷口保護技術及び製品で傷口を保護する時に招く傷口再損傷又は製品の機能欠陥のため最優保護効果に達することはできないことを重視するべきである。私たちは傷口の特徴によって傷口に対して簡単に分類し、従来の技術及び製品に対してその長所及び短所を分析し比較して、さらに良い治療効果を有する新製品を創造するようにする。
【０００３】
第一種類の傷口は輸注カテーテルを使用する時に生成した傷口であり、このような傷口を保護する場合、カテーテルを堅固に固定し且つ傷口が感染しないように特別に保護することを必要とする。例えば、中心静脈カテーテル、末梢挿入型中心静脈カテーテル、静脈留置針カテーテルを使用する時に生成した傷口であり、疾病を治療するためにあるカテーテルは何ヶ月も長期留置しなければならない。現在の臨床上で常用する方法は透明フィルム被覆材（ＰＵフィルム）を採用してカテーテル輸注傷口を直接に被覆するとともにカテーテルを固定し、以下の長所を有する。
【０００４】
１． 非常に薄くて透明であるので、いつでも傷口の変化状況を便利に観察することができる。
【０００５】
２． 柔軟性及び皮膚との貼合性が極めてよく、皮膚に粘着してから分離し難い。
【０００６】
だから、他の被覆材でカテーテルを固定し且つ輸注傷口を保護することに比べて、これはさらに堅固であり脱落し難く、且つ防水することができる。しかし、以下の短所を有する。
【０００７】
１．その柔軟性が良いので、表面皮膚の移動皺にしたがってその自身にも同じ移動皺が生成して、皮膚の移動皺を阻止することはできなく、外力に引っ張られるか又は身体活動によって皮膚表面に移動皺が生成する場合、そのカテーテルは変位してカテーテル輸注傷口を損傷する。  
【０００８】
２．粘着剤が輸注傷口に貼り合わせて、傷口及び周囲皮膚のアレルギーを引き起こすことができ、接触性皮膚炎などの炎症反応が発生する。
【０００９】
３．汗を透過させられなく、汗が傷口及びフィルムの下方に集めて、傷口が感染し易く、さらに静脈炎又は血液感染などのひどい合併症を引き起こす。
【００１０】
４．３〜６日内に被覆材を替えることを必要として、もしさらに長い時間も被覆材を替えなく傷口を再び消毒しないと、傷口の感染を引き起こす。  
【００１１】
第二種類の傷口は普通な傷口であり、例えば、手術傷口、外傷傷口などであり、臨床上でこれらの傷口を処理する場合、一般的にパッド又はライナーを有するスパンレース不織布、フォーム被覆材、ハイドロコロイド被覆材などを採用して保護し、これらの被覆材は以下の長所を有する。
【００１２】
１．強い吸収性を有し、傷口滲出液を吸収することができ、感染領域の拡散を防ぐ。
【００１３】
２．粘着剤が傷口に直接に接触しない。
【００１４】
３．ハイドロコロイド被覆材は傷口組織の湿潤状態を保持することができ、癒合を加速する。
【００１５】
しかし、以下の短所を有する。
【００１６】
１．不透明（ハイドロコロイドは半透明状である）であるので、いつでも傷口の変化状況を観察することはできない。  
【００１７】
２．透明フィルム被覆材に比べて、その柔軟性、貼合性が悪く、剛性硬度が強いので、張力作用によって皮膚表面から分離脱落し易く、従って固定性も悪く、移動皺が発生し易い身体関節活動部位の傷口に貼り合せるか又は運動して汗が出る場合に脱落分離し易い。
【００１８】
３．防水性が悪い又は防水しなく、水に接触すると、被覆材の粘着層は皮膚から分離脱落し易い。
【００１９】
４．傷口表面皮膚に移動皺が発生した場合、傷口表面皮膚とパッド又はライナー及び傷口に直接に接触する被覆材が相対変位摩擦して傷口組織を再び損傷し、特に身体関節活動部位に位置する傷口である。
【００２０】
なお、上述のこれらの被覆材は全て傷口表面に直接に緊密に接触して傷口表面を圧迫性に被覆するので、傷口組織の分泌物と粘着することができ、従って被覆材を替える場合に傷口組織の再損傷を招く、これらの被覆材における傷口に接触する部分は不粘着技術処理を行ったとしても、不粘着はただ相対的である。傷口に対して不定期再消毒処理を行う場合、上述の被覆材は全て全体的に替えなければならない。
【００２１】
上述の技術以外に、現在、組織の癒着を防ぐ被覆材又は「非接触」の傷口保護装置はいくつかもあり、例えば、「カバー」、「フレーム」などの傷口保護装置が出現したが、これらの組織癒着防止材料は癒着及び異物に対する組織の排斥炎症反応を完全に防ぐことはできない。これらの「カバー」又は「フレーム」などの傷口保護装置は、構造が複雑であり、効果的な固定方法が欠乏し、安定し難く、移動し易いので、傷口の再損傷を招く、中心静脈カテーテル、末梢挿入型中心静脈カテーテル、静脈留置針カテーテルを固定するか又はカテーテル輸注傷口を保護するために応用することはできなく、且つ製造及び応用も複雑であるので、臨床上で広く応用され難い。  
【００２２】
従来の傷口保護技術及び方法は上述した欠陥を有するばかりでなく、外力を受けるか又は張力作用によって傷口が裂けることを防ぐことはできない。傷口が裂けた場合、現在の臨床上で効果的な方法及び技術がない。特に腹部、関節活動部位に位置する手術傷口及び外傷傷口は、咳をする、手術後に腹が張る、力を入れて大小便する、関節移動などによって裂けることがあり、傷口の癒合を影響し且つ感染などの合併症を引き起こす。
【００２３】
傷口保護製品が皮膚表面に堅固に粘着したか否かも傷口保護効果の良し悪しを決める重要な要因であるため、人体表面皮膚の生理特性は傷口保護方法を決めるばかりでなく且つ製品の効果を影響する。皮膚は以下の生理特性を有する。
【００２４】
第一、皮膚は汗を分泌する１つの器官であり、分泌した汗は保護固定粘着層の粘着性を低減させ、さらに保護固定粘着層を脱落させる。
【００２５】
第二、皮膚は、比較的柔らかく、外力作用を受けると移動し、テクスチャーにしたがって皺を生成する表面であり、特に運動機能を有する関節部位の皮膚に皺が多く、年齢が大きければ大きいほど皮膚の皺は多くなり且つ皺が生成し易い。皺が生成し難い又は皺を生成できない剛性保護固定粘着層を皮膚表面に粘着した場合、粘着表面が外力作用を受けて移動皺の張力作用を生成した場合、先ず、これは移動皺の張力を抵抗しながら皮膚表面の変位、皺を制限するが、粘着力がこのような張力に十分に抵抗することはできないと、粘着面を剥離脱落させるので、ただ剛性固定粘着層を使用して皮膚表面の物品を粘着固定する場合、その長所はそれが皮膚移動皺の張力に抵抗して粘着面又はその開口に包まれた皮膚表面の移動皺を制限し、その短所は皮膚との粘着力で皮膚移動皺の張力に抵抗するので、このような粘着力が皮膚移動皺の張力に十分に抵抗することはできない場合又は皮膚との粘着表面張力が高まる場合、剛性保護固定層は分離脱落する。しかし、１つの柔軟性保護固定粘着層を皮膚表面に粘着した場合、それは柔軟であり、薄型であり、順応性が良く、皮膚の移動皺にしたがって同じ変位皺が発生するので、いかなる変位皺状態下でも皮膚表面との良い粘着状態を保持することができ、皮膚移動皺の張力は粘着力と抵抗しないので、柔軟性保護固定粘着層を使用して皮膚表面の医用品を固定するか又は傷口を保護する場合、その長所はそれが緊密に堅固に粘着して、たとえ汗があったとしても脱落し難い。しかし、その短所は保護固定粘着層が保護固定する医療用品又は傷口は皮膚表面の移動皺にしたがって変位して移動皺を生成し、カテーテル注入口を有するカテーテルを固定するか又は傷口被覆材を固定する場合、注入口部位のカテーテルの移動及び傷口表面皺の変位を招く、傷口を再び損傷し、傷口と被覆材が相対変位摩擦するので傷口組織を傷付ける。
【００２６】
第三、アレルギー体質の皮膚傷口は粘着層に対してアレルギーを起こして炎症反応及び感染を招くことがあるので、粘着層をカテーテル注入傷口、手術傷口及び外傷傷口に直接に粘着することを免れるべきである。
【００２７】
上述の方法及び製品で傷口を保護する時の長短所及び皮膚の生理特性に基づいて、新しい方法又は製品を開発することを必要として、従来の技術の長所を継承及び統合し、その欠陥を克服して、皮膚生理特性に適合する粘着保護固定方法及び新製品を創造し、改進した後の技術方法又は製品は、以下の要求を満足する。
【００２８】
１、傷口（手術縫合傷口、外傷傷口、カテーテル輸注傷口及びある高張力傷口を備える）が裂けることを効果的に防ぐ。
【００２９】
２、緊密圧迫性接触ではなく、浸透性を有するように傷口分泌物に接触することができ、製品が傷口壊死組織の分泌液を効果的に吸収することにして、局部拡散を防止し、しかし傷口組織と癒着しない又は傷口組織と癒着することは少ない。
【００３０】
３、いつでも傷口の変化状況を便利に観察されるように、傷口を開放させて見ることができる。
【００３１】
４、透明フィルム被覆材を単独に使うように、傷口周囲の皮膚及び輸注カテーテルを堅固に固定することができ、粘着剤に傷口又はカテーテル輸注傷口が粘着されないとともに、透明であり、見ることができる。
【００３２】
５、傷口表面皮膚の移動皺及び輸注カテーテルの変位が招く傷口再損傷を制限することができ、特に身体関節活動部位又は皮膚皺が多い部位の傷口及びカテーテル輸注傷口である。
【００３３】
６、傷口特性の需要によって、傷口表面といかなる異物の接触（被覆材自身も含む）を完全に防ぐことができ、傷口に異物排斥炎性反応が発生することを免れる。
【００３４】
７、傷口保護製品を全体的に替えなくても、いつでも需要によって傷口に対してデブリドマン、消毒、ドレナージ処置、局部薬物及び物理治療を行うことができる。
【００３５】
８、傷口を確実に保護するとともに、透明フィルム被覆材を単独に使うように、傷口に関するカテーテルを堅固に固定して脱落しないようにするばかりでなく、透明フィルム被覆材を単独に使う時にカテーテルが皮膚表面で変位することを克服することができ、カテーテルが変位したためカテーテル輸注傷口を損害することを免れる。
【００３６】
９、需要によって防水性及び通気性を兼備するばかりでなく、外部環境汚染も隔離することができる。
【００３７】
１０、傷口保護製品を替える頻度を減少することができ、医療コストを下げる。
【発明の概要】
【発明が解決しようとする課題】
【００３８】
本発明の目的は、前記課題を解決し、手術傷口、外傷傷口及びカテーテル輸注傷口に対する保護及び固定効果を改善し、傷口癒合を促進し、臨床治療効果を確保する傷口保護固定装置を提供することである。
【課題を解決するための手段】
【００３９】
本発明に係る傷口保護固定装置は、少なくとも１つの開口付き保護固定層を備え、開口付き保護固定層には縦方向に沿ってその上下両端面を貫通する開口が設けられ、開口は傷口を開口内に包んで、開口付き保護固定層は傷口張力増加及び傷口皮膚の移動皺を制限する。
【００４０】
本技術方案において、開口は手術傷口、外傷傷口及びカテーテル輸注傷口を開口内に包んで、開口付き保護固定層が傷口張力増加及び傷口皮膚の移動皺を制限することにして、傷口が裂けることを防ぐことができ、傷口皮膚移動皺、傷口と被覆材及び輸注カテーテルの相対変位摩擦による傷口損傷を免れて、傷口、カテーテル輸注傷口に対する保護効果を改善し、傷口癒合を促進し、カテーテル輸注傷口の感染を効果的に防ぐことができ、臨床治療効果を確保する。特に腹部に位置する高張力手術傷口、身体関節活動部位の傷口及び長期に静脈カテーテルによって輸液治療を行うことを必要とする病人に適用する。本技術方案において、開口付き保護固定層にキャビテイを設けて、キャビテイを有する開口保護固定層の厚さ又はキャビテイの高さ及び容積を調整することにより、傷口を被覆する被覆材が傷口表面分泌物に浸透性に接触することにして、傷口滲出液を吸収し、従来の技術のように被覆材を傷口に圧迫接触したりカテーテル輸注傷口に直接に粘着したりして引き起こす粘着剤接触アレルギー反応及び被覆材と傷口分泌物が癒着して招く傷口再損傷を防ぐことができ、傷口及びカテーテル輸注傷口をいかなる異物（被覆材も含む）に接触しない開口キャビテイ内に保持させて、接触性炎症が発生しないようにする。
【００４１】
開口付き保護固定層は、透明、防水及び通気性があり、柔軟性及び粘着性に優れる透明フィルム（ＰＵフィルム）材料を採用又は部分採用して製造し、このような材料の特徴は、粘着された皮膚テクスチャー移動皺に伴って同じ移動皺を生成し、傷口、カテーテル輸注傷口周囲皮膚及び覆われるカテーテルによく柔軟的に粘着し、自身及びカテーテルは皮膚表面から分離脱落し難く、他の粘着物も自身の表面に堅固に粘着されるようにして、このような構造の堅固性は皮膚に直接に粘着することに比べてとても強大し、例えば、プラスチック、シリカゲル、フォーム、フォームファイリング、ハイドロコロイド及び不織布材料からなる被覆材などであり、固定層全体が皮膚表面から分離脱落し難いことにして、さらに堅固に固定し、傷口及びカテーテル輸注傷口をさらに効果的に保護する。
【００４２】
開口付き保護固定層は、シリカゲル、プラスチック、フォームファイリング、フォーム、ハイドロコロイド及び多層圧縮された厚み増加不織布などの材質を採用又は部分採用して製造し、透明フィルム（ＰＵフィルム）に比べて、このような材質の剛性が比較的強く、その特徴は、粘着された皮膚表面テクスチャー移動皺に伴って移動皺を生成することはできなく、その開口及びその開口によって形成されたキャビテイに包まれる傷口、カテーテル輸注傷口表面皮膚が身体活動状態及び外力に引っ張られて生成する移動皺及び傷口張力増加を効果的に制限することができ、傷口が引き裂けることを防止し、傷口移動皺、傷口と被覆材の相対変位摩擦による傷口損傷を免れ、被覆粘着されたカテーテル、皮膚表面及び他の固定層の移動皺を制限することができ、カテーテルが変位して傷口を損傷することを免れる。
【００４３】
本発明の好ましい実施例において、開口付き保護固定層は柔軟性開口保護固定層及び剛性開口保護固定層を備え、剛性開口保護固定層にはキャビテイが形成される。本技術方案において、異なる材質特性の開口保護固定層を設置したので、各自の傷口に対する保護固定特性を表現することができる。柔軟性開口保護固定層は、薄型であり、皮膚表面に粘着してから皮膚表面テクスチャー移動皺に伴って同じ移動皺が発生し、同じ皺を生成することができ、好ましくは透明フィルム（ＰＵフィルム）を採用する。柔軟性開口保護固定層に比べて、剛性開口保護固定層は、さらに硬く、さらに厚く、皮膚表面に粘着してから皮膚表面テクスチャー移動皺に伴って同じ移動皺が発生しなく、皺を生成することはできなく、異なる傷口の特性によってその材料を選択することができ、これらの材料は皮膚快適性を満足する柔軟材料であることができ、剛性、無弾性、変形し難い材料であることもでき、プラスチック、シリカゲル、フォーム、フォームファイリング、ハイドロコロイド及び不織布などのような皮膚に粘着してから皮膚表面テクスチャー移動皺に伴って同じ移動皺が発生しないあらゆる材料を備えることができる。外力作用によって柔軟性開口保護固定層に粘着された皮膚に移動皺が発生してから、柔軟性開口保護固定層と皮膚の粘着面との間にほとんど張力が発生しないので、皮膚が変位して移動皺が発生するか又は汗が出て浸水しても、柔軟性開口保護固定層は皮膚表面から分離脱落しないが、剛性開口保護固定層が皮膚表面に粘着した場合、剛性開口保護固定層は皮膚に移動皺が発生し且つ皮膚が変形して生成する張力に抵抗して、皮膚皺を制限し、皮膚皺変位の力が皮膚の上の剛性開口保護固定層の粘着力より大きいと、剛性開口保護固定は皮膚から分離脱落し、特に皮膚に汗が出て浸水する場合にさらに易く脱落する。しかし、剛性開口保護固定層が皮膚表面に粘着した柔軟性開口保護固定層の表面に粘着した場合、その粘着力は大きく増強されて、柔軟性開口保護固定層及び皮膚の移動皺が粘着面で生成した張力に十分に抵抗することができ、従って剛性開口保護固定層は柔軟性開口保護固定層から分離脱落しなく、柔軟性開口保護固定層と皮膚表面の堅固粘着を影響しないとともに、剛性開口保護固定層は柔軟性開口保護固定層の移動皺及び固定された医療用品の移動及びその開口に包まれた傷口表面皮膚移動皺を制限して、傷口表面皮膚移動皺による傷口損傷を免れ、傷口張力増加を制限して、傷口が裂けることを防止し、輸注カテーテルが変位して輸注カテーテル傷口を損傷することを免れる。なお、柔軟性開口保護固定層の外境界はいつも剛性開口保護固定層の外境界より大きいので、皮膚に粘着した外境界は柔軟性開口保護固定層であり、従って柔軟性開口保護固定層は表面皮膚テクスチャーの移動皺に伴って同じ移動皺が発生し、柔軟性開口保護固定層は分離脱落しなく又は柔軟性開口保護固定層の端が浮き上がらない。柔軟性開口保護固定層及び剛性開口保護固定層を互いに配合粘着して傷口及び輸注カテーテルを保護固定することは、非常に堅固であり皮膚から分離脱落し難く、とても安定であり移動が発生しなく、傷口保護固定装置全体を傷口周囲皮膚に堅固安定に固定させて、傷口に対する最も好ましい保護効果に達し、傷口保護及びカテーテルなどの医療用品の固定要求を満足する。本技術方案において、剛性開口保護固定層にはキャビテイが設けられているので、剛性開口保護固定層の厚さ又はキャビテイの高さ又は容積を調整することにより、傷口表面分泌物と被覆材が浸透性の表面接触を保持することにして、傷口浸出液を便利に吸収し、傷口表面がいかなる異物（被覆材及び他の被覆物を備える）に接触されない又は圧迫されないように保持し、傷口と被覆材又は保護固定層が相対変位摩擦して傷口を損傷することを免れ、従来の技術のように被覆材を傷口に圧迫接触するか又はカテーテル輸注傷口に直接に粘着して引き起こす粘着剤接触アレルギー反応を免れ、被覆材と傷口分泌物が癒着して招く傷口再損傷を防ぐ。
【００４４】
本発明の好ましい実施例において、開口付き保護固定層の表面には粘着層が設置される。粘着層によって、開口付き保護固定層を傷口及びカテーテル輸注傷口周囲皮膚表面に固定する。粘着層は異なる保護固定層をお互いに粘着固定するために用いられる。
【００４５】
本発明の好ましい実施例において、柔軟性開口保護固定層はそれに粘着された皮膚表面テクスチャーの移動皺に伴って同じ移動皺を生成し、剛性開口保護固定層はそれに粘着された皮膚及び柔軟性開口保護固定層の移動皺を制限し、開口に包まれる傷口が裂けることを制限し、傷口表面皮膚の移動皺を制限する。だから、柔軟性開口保護固定層は皮膚移動による張力に引っ張られて皮膚表面から分離脱落しなく、堅固に固定される。剛性開口保護固定層はそれに粘着された皮膚及び柔軟性開口保護固定層の移動皺を制限し、開口に包まれる傷口が裂けることを制限し、傷口表面皮膚の移動皺を制限するので、第一、傷口張力増加を制限して、傷口が裂けることを防止し、第二、傷口表面皮膚の移動皺による傷口損傷を免れ、第三、傷口と被覆材又は保護固定層が相対変位して傷口を損傷することを免れ、第四、輸注カテーテルが変位して輸注カテーテル傷口を損傷することを免れ、第五、柔軟性開口保護固定層及び剛性開口保護固定層を互いに粘着して配合使用することにより、傷口保護固定装置全体が皮膚から分離脱落し難く、変位しなく、固定された医療用品、例えば、中心静脈カテーテル、末梢挿入型中心静脈カテーテル、留置針カテーテル、傷口ドレーンチューブ、透析カテーテルなどが移動しなく、傷口を効果的に保護し、いろいろな医療カテーテルを堅固に固定する。
【００４６】
本発明の好ましい実施例において、柔軟性開口保護固定層及び剛性開口保護固定層は一緒に粘着され、開口は互いに対応する。
【００４７】
本発明の好ましい実施例において、開口付き保護固定層の上方にはさらにパッドを有する保護固定層及び/又はパッドを有しない保護固定層が設置される。これらの保護固定層は透明、不透明、柔軟性及び/又は剛性の材料を採用して製造し、開口を閉鎖し、開口付き保護固定層を傷口周囲の皮膚に固定して、その固定を強め、そのパッドは傷口浸出液を吸収することができる。
【００４８】
本発明の好ましい実施例において、開口付き保護固定層にはさらにカバー部材が設置されて、開口の端口を開けるか又は閉鎖する。
【００４９】
本発明の好ましい実施例において、カバー部材の下表面には開口付き保護固定層の開口に収容されるパッドが設置される。このようなパッドはいろいろな機能性パッドを備え、例えば、強い吸収性を有し、抗菌であり、湿性機能を有するものなどである。
【００５０】
本発明の好ましい実施例において、カバー部材は開口付き保護固定層に取り外し可能に固定される。このような設置方式によって開口を繰り返して開けるか閉鎖することができ、医者はいつでも傷口状況に基づいて傷口を処理することができる。
【００５１】
本発明の好ましい実施例において、カバー部材の辺縁には突出翼が設置される。突出翼を設置したので、カバー部材を便利に引き上げることができ、使用する時に時間と手間を省略することができる。
【００５２】
本発明の好ましい実施例において、剛性開口保護固定層にはさらにキャビテイと外界を連通してキャビテイに物件を進出できる通路が設置される。設置された通路は中心静脈カテーテル、ドレーンチューブなどの医用カテーテルを通過させる。
【００５３】
本発明の好ましい実施例において、剛性開口保護固定層の縦断面は台形である。本技術方案のこのような設置によって、他の被覆材及び/又は被覆物が保護固定層を傷口周囲皮膚にさらに効果的に被覆粘着することにして、最も好ましい貼り合わせ効果及び固定効果に達する。
【００５４】
本発明の好ましい実施例において、柔軟性開口保護固定層は剛性開口保護固定の下面又は上面に設置され、柔軟性開口保護固定層の外境界は剛性開口保護固定層の外境界を越える。柔軟性開口保護固定層を剛性開口保護固定の下面及び皮膚表面に設置すると、剛性開口保護固定層は柔軟性開口保護固定層の上面に直接に粘着し、このような設置は堅固安定であり、分離脱落し難く、移動しなく、被固定物を堅固安定に固定する。柔軟性開口保護固定層の外境界は剛性開口保護固定層の外境界を越えるので、保護固定層全体の端が浮き上がらなく、汗及び浸水影響を受けなく脱落しない。
【００５５】
本発明の好ましい実施例において、開口付き保護固定層の辺縁にはＵ字状の切欠口が設けられる。Ｕ字状の切欠口を設けることにより、固定層は粘着層によって中心静脈カテーテル、ドレーンチューブなどの医用カテーテルをさらに効果的に固定することができる。
【００５６】
本発明の好ましい実施例において、さらに支持体を備え、支持体は少なくとも開口付き保護固定層の上部に固定される。設置された支持体は開口部位の被覆材、カバー部材を保持支持し且つ他の被覆物が変形、落ち込まないようにする。
【００５７】
本発明の好ましい実施例において、支持体は支持ストリップ、支持シート、支持塊又は支持フレームである。
【００５８】
本発明の好ましい実施例において、開口付き保護固定層は異なる材質の多層からなる組合体である。このような組合体は高吸収性の材料、抗菌機能を有する材料、湿性機能を有する材料及びヨウ素を含む材料を設置することができ、需要によって異なる機能の材料を設置することができ、開口付き保護固定層のキャビテイに無菌、抗菌、抗感染、成長及び癒合を促進する内部環境を形成させる。
【００５９】
本発明の好ましい実施例において、開口付き保護固定層の境界とキャビテイとの間は隙間によって連通される。隙間によって開口又はキャビテイが皮膚の上面及びカテーテルの底面でカテーテル輸注傷口を包むことにして、開口付き保護固定層の上表面をカテーテルの支持パッドとすることができる。
【発明の効果】
【００６０】
従来の技術に比べて、本発明は少なくとも１つの開口付き保護固定層を設置したので、傷口、カテーテル注入傷口を傷口張力増加及び傷口表面皮膚移動皺を制限することができる開口内に保護固定して、傷口が裂けることを防ぐことができ、傷口皮膚移動皺、傷口と被覆材及び輸注カテーテルの相対変位による傷口損傷を免れて、従来の技術の空白を埋める。開口付き保護固定層の厚さ又はキャビテイの高さ又は容積を調整することにより、それが覆う吸収性被覆材又は他の被覆物を傷口表面分泌物に浸透性に接触させるか又は傷口を異物に接触させないようにして、従来の技術のようにアレルギー性粘着剤を含む透明フィルム被覆材を中心静脈カテーテル輸注傷口に直接に粘着して引き起こす局部皮膚のアレルギー、汗がフィルム底面の輸注傷口に集中されるなどの問題を効果的に克服することができ、従って炎症反応及び血管カテーテルを低く放置してから誘発するカテーテル関連血流感染（ＣＲＢＳＩ）を免れ、従来の技術のマスク、フレームは接触面積が小さいので創傷周囲皮膚を直接に圧迫して局部血液循環を影響することを免れ、需要によってアレルギー体質の患者に対して粘着剤が傷口及び傷口周辺皮膚に接触することを免れて、皮膚アレルギー反応の発生を減少し、傷口に直接に接触及び圧迫して引き起こす異物排斥反応及び傷口周囲血液循環の障害を免れ、被覆材と傷口分泌物が癒着して招く傷口再損傷を効果的に防ぐことができる。
【００６１】
開口付き保護固定層は柔軟性開口保護固定層及び剛性開口保護固定を備える。柔軟性開口保護固定層は、皮膚テクスチャー移動皺に伴って同じ移動皺を生成することができ、剛性開口保護固定層は、それに粘着された皮膚及び柔軟性開口保護固定層の移動皺、その開口又はキャビテイに包まれる傷口表面皮膚移動皺及び傷口張力増加を制限することができ、且つ傷口が裂けることを防ぐ。二種の異なる材質特性の保護固定層を結合して使用すると、その長所を保留するとともにその欠陥を克服するので、従来の技術に比べて、傷口周辺皮膚に堅固に固定されるとともに、分離脱落し難く、自身及び被固定物、例えば、カテーテル、被覆材が皮膚上で移動しないようにして、従来の技術のようにただ透明フィルム（ＰＵフィルム）などの柔軟性固定層を採用してカテーテル輸注傷口を保護固定する場合、皮膚移動皺又はカテーテルが張力に引っ張られて輸注傷口を損傷することを効果的に克服し、ただ不織布、フォーム、フォームファイリングなどの剛性固定層被覆材を採用して傷口、カテーテル輸注傷口を固定する場合、皮膚張力、汗、浸水等の状況下で保護固定層が傷口周囲皮膚から分離脱落されることも効果的に克服する。なお、従来の技術のマスク、フレームのような傷口保護装置は効果的な固定方法が欠乏し且つ構造が複雑である欠陥を克服する。
【００６２】
開口付き保護固定層には繰り返して開閉することができるカバー部材が設置されて、開口又はキャビテイを開けるか又は閉鎖し、このような構造は医療人員が傷口又はカテーテル輸注傷口を処理する時に便利を提供し、保護固定装置全体を替えなくても、いつでも傷口に対してデブリドマン、消毒、ドレナージ処置を行くことができ、且つ傷口に抗感染、傷口癒合を促進する薬物を使用することができるので、このような保護装置は使用時間が長く、医療コストを節約する。
【００６３】
カバー部材は透明材料からなるので、傷口及びカテーテル輸注傷口を見ることができ、医療人員又は患者自身がいつでもカバー部材を開けなくても傷口及びカテーテル輸注傷口の変化状況を便利に観察するようにする。
【００６４】
開口付き保護固定層は多層の異なる材質からなる組合体である。異なる材質は異なる機能を発揮することができ、傷口保護に異なる作用を発揮し、保護効果を強め、例えば、ヨウ素を含む開口付き保護固定層に形成されたキャビテイは傷口及び周囲に滅菌環境を提供することができ、ハイドロコロイドを有する開口付き保護固定層に形成されたキャビテイは傷口に湿性環境を提供してその生長癒合を促進することができる。
【００６５】
本技術方案において、開閉することができる開口及び/又は通路が設けられているので、開閉することができる開口又は通路によって、いろいろな異なる治療方法を需要する傷口又はカテーテル輸注傷口に対してデブリドマン、ドレナージ処置、局部薬物、物理、営養、成長因子、負圧などの治療を行うことができ、さらに異なる特性の傷口に癒合を促進する特定環境を創造することができ、例えば、酸素がある、酸素がない、乾性、湿性、無菌及び滅菌環境であり、傷口が速く癒合するように促進する。
【図面の簡単な説明】
【００６６】
【図１】本発明の第一実施形態に係る傷口保護固定装置を示す図である。
【図２】柔軟性開口保護固定層の構造を示す図である。
【図３】本発明の第二実施形態に係る傷口保護固定装置を示す透視図である。
【図４】図３に示す開口付き保護固定層の構造を示す図である。
【図５】本発明の第三実施形態に係る傷口保護固定装置を示す透視図である。
【図６】図５に示す開口付き保護固定層の構造を示す図である。
【図７】本発明の第四実施形態に係る傷口保護固定装置を示す透視図である。
【図８】本発明の第五実施形態に係る傷口保護固定装置を示す透視図である。
【図９】本発明の第六実施形態に係る傷口保護固定装置を示す透視図である。
【図１０】図９に示す凹部及び隙間を有する剛性開口保護固定層の構造を示す図である。
【図１１】本発明の第七実施形態に係る傷口保護固定装置を示す透視図である。
【図１２】本発明の第八実施形態に係る傷口保護固定装置を示す透視図である。
【図１３】図１２に示すパッドを有する柔軟性保護固定層の構造を示す図である。
【図１４】本発明の第九実施形態に係る傷口保護固定装置を示す透視図である。
【図１５】図１４に示す開口付き保護固定層の構造を示す図である。
【図１６】図１４に示すパッドを有する剛性保護固定層の構造を示す図である。
【図１７】本発明の第十実施形態に係る傷口保護固定装置の構造を示す図である。
【図１８】図１７に示すパッド及び突出翼を有する剛性保護固定層の構造を示す図である。
【図１９】図１７に示す開口付き保護固定層の構造を示す図である。
【図２０】本発明の第十一実施形態に係る傷口保護固定装置の構造を示す図である。
【図２１】図２０に示す剛性開口保護固定層の構造を示す図である。
【図２２】図２０に示す柔軟性開口保護固定層の構造を示す図である。
【図２３】本発明の第十二実施形態に係る傷口保護固定装置の構造を示す透視図である。
【図２４】図２３に示すパッドを有するカバー部材を示す図である。
【図２５】本発明の第十三実施形態に係る傷口保護固定装置の構造を示す透視図である。
【図２６】本発明の第十四実施形態に係る傷口保護固定装置の構造を示す分解図である。
【発明を実施するための形態】
【００６７】
本発明は傷口保護固定装置に関するものであり、開口付き保護固定層を設置し、開口付き保護固定層にはその上下両端面を貫通する開口が設けられて、傷口又は医療カテーテル輸注傷口が開口又は開口によって形成されるキャビテイに位置することにして、以下の目的及び作用に達する。
【００６８】
１、開口付き保護固定層を設置し、設けられた開口又はキャビテイは傷口を保護固定するために用いられ、開口付き保護固定層によって傷口張力増加及び傷口表面皮膚移動皺を制限して、傷口が裂けることを免れる。
【００６９】
２、開口付き保護固定層は、その開口又はキャビテイに包まれる傷口表面皮膚の移動皺を制限することができ、移動皺が傷口に対する損傷を免れ、傷口と従来の技術の無開口被覆材の相対移動摩擦による傷口損傷も免れる。
【００７０】
３、開口付き保護固定層に設けられた開口又はキャビテイは傷口を保護するために用いられるので、不透明材料を採用して製造しても、開口の上端面に透明であり且つ取り外すことができるカバー部材を設置すると、開ける、閉鎖する又は替える場合に皮膚を損傷しなく、このような設置によって、いつでも傷口を便利に観察して即時に処理することができ、装置全体を替えることを必要としなく、替える時にカテーテルを移動するか又は皮膚を引き裂いて傷口を損傷することを免れ、且つコストを節約する。
【００７１】
４、開口付き保護固定層の厚さ又はキャビテイの高さ又は容積を調整することにより、傷口の上の被覆材又はパッドを有する保護固定層と傷口表面との間の距離及び接触程度を設置することができ、被覆材が創傷面に直接に緊密に接触、圧迫して癒着、血液循環障害及び血液供給障害を招くことを免れ、分泌物が多い傷口の表面に吸収性被覆材を設置して浸透性吸収接触面とすることができ、被覆材が傷口滲出液を吸収する情況下でも傷口組織と癒着しないので再損傷は発生しない。  
【００７２】
５、臨床上で従来の技術のように透明フィルム（ＰＵフィルム）をカテーテル輸注傷口に直接に粘着被覆したため、フィルムの下に集める汗及び粘着剤の刺激によって引き起こす傷口炎症及び感染を免れる。
【００７３】
６、異なる材質であり異なる特性を有する開口付き保護固定層を互いに粘着して組み合わせて使用することにより、各自の長所を保留するとともにその短所を克服する。柔軟性開口保護固定層（例えば、透明フィルム（ＰＵフィルム）である）と剛性開口保護固定層（例えば、プラスチック、シリカゲル、厚さを増加した不織布、フォーム、ハイドロコロイドである）を互いに不完全に重ねて粘着し、且つ柔軟性開口保護固定層の境界はいつも剛性開口保護固定層より大きいと、皮膚に粘着した固定層境界に柔軟性開口保護固定層しかないので、それと皮膚表面は柔軟的に貼合して分離脱落し難い長所を保留し、柔軟性開口保護固定層の中間部位は剛性開口保護固定層と互いに粘着し、開口は二層中間のいかなる箇所に位置し、且つ各層の開口は互いに吻合し、傷口はその中に位置し、且つ固定されたカテーテルを被覆して皮膚に粘着する。このような設置によって、剛性開口保護固定層は移動皺を生成しない長所を保留し、ただ柔軟性開口保護固定層をカテーテル、皮膚及び開口に囲まれる傷口に粘着被覆した場合、皮膚移動皺又は外力に引っ張られてカテーテルが変位し、皮膚に皺が生成し、傷口に皺が生成し、傷口と被覆材が相対変位して摩擦を引き起こす短所を克服する。又、剛性開口保護固定層の表面全体は柔軟性開口保護固定層に被覆されるか又は柔軟性開口保護固定層の上表面の中間部位に粘着するので、ただ剛性開口保護固定層を皮膚に粘着した場合、汗又は傷口皮膚張力が増加して分離脱落し易い短所を克服する。
【００７４】
上述したように、異なる材質特性の開口付き保護固定層及び従来の技術の異なる材質特性の傷口被覆材又は保護固定層を互いに粘着して組み合わせて使用することにより、従来の技術に係わる傷口被覆材又は保護固定層製品の短所を克服するとともにその長所を保留することができる。
【００７５】
本領域の技術人員が本発明の技術方案をさらに良く理解するように、以下、図面を参照して、本発明の実施形態について詳しく説明する。
【００７６】
実施例一
【００７７】
図１及び図２を参照すると、本実施例に係わる傷口保護固定装置は開口付き保護固定層１からなり、開口付き保護固定層１には縦方向に沿ってその上下両端面を貫通する開口１１が設けられ、開口１１の面積は傷口又はカテーテル輸注傷口の面積と合って、傷口又はカテーテル輸注傷口を開口１１内に囲んで、傷口張力増加を制限して、傷口が裂けることを免れ、傷口皮膚の移動皺及び/又は傷口を外へ開放させることを防ぐ。
【００７８】
開口付き保護固定層１の下表面に粘着剤層を設置することができ、又は従来の技術によって製造された被覆材（例えば、パッドを有する不織布被覆材又は透明フィルムである）に被覆粘着されて傷口周囲皮膚に固定されることもできる。本実施例において、開口付き保護固定層は比較的厚く設置される。
【００７９】
他の実施例において、開口付き保護固定層１は柔軟性開口保護固定層及び剛性開口保護固定層からなり、柔軟性開口保護固定層は透明フィルム（ＰＵフィルム）であることができ、非常に薄く、図２を参照することができる。柔軟性開口保護固定層は皮膚、被固定物及び剛性開口保護固定層に緊密に粘着されて分離脱落し難い。剛性開口保護固定層は、プラスチック、シリカゲル、厚さを増加した不織布、フォームファイリング（ｆｏａｍ  ｆｉｌｉｎｇ）、フォーム、ハイドロコロイドからなり、一般的により厚く、図１を参照することができる。一般的に剛性開口保護固定層は比較的厚く、設けられた開口はキャビテイを形成することができ且つ一定の高さ及び容積を有し、その開口又はキャビテイに包まれる傷口の張力増加及び表面皮膚移動皺を制限することができ、傷口が裂けることを免れ、傷口表面皮膚の移動皺及び固定されたカテーテルの変位による傷口損傷を免れ、傷口と被覆材が相対変位摩擦して傷口を損傷することも免れる。なお、開口付き保護固定層の厚さ又はキャビテイの高さ又は容積を調整することにより、傷口の上の被覆材又はパッドを有する保護固定層と傷口表面との間の距離及び接触程度を設置することができ、被覆材が創傷面に直接に緊密に接触、圧迫して癒着、血液循環障害及び血液供給障害を招くことを免れ、分泌物が多い傷口の表面に吸収性被覆材を設置して浸透性吸収接触面とすることができ、被覆材が傷口滲出液を吸収する情況下でも傷口組織と癒着しないので再損傷は発生しない。  
【００８０】
本実施例において開口付き保護固定層を設置し、設けられた開口は傷口を保護するために用いられので、不透明材料を採用して製造しても、開口の上表面に透明であり且つ取り外すことができるカバー部材を設置すると、開ける、閉鎖する又は替える場合に皮膚を損傷しなく、このような設置によって、いつでも傷口を便利に観察して即時に処理することができ、装置全体を替えることを必要としなく、替える時にカテーテルを移動するか又は皮膚を引き裂いて傷口を損傷することを免れ、且つコストを節約し、臨床上で従来の技術のように透明フィルム（ＰＵフィルム）をカテーテル輸注傷口に直接に粘着被覆して、フィルムの下に汗が集中し且つ粘着剤の刺激によって引き起こす傷口炎症及び感染を免れる。
【００８１】
実施例二
【００８２】
図３及び図４を参照すると、本実施例に係わる傷口保護固定装置は開口付き保護固定層１及びカバー部材２からなり、開口付き保護固定層１の開口１１をカテーテル輸注傷口と位置合わせてから、カテーテルＡを被覆しながら皮膚に粘着し、カバー部材２を採用して開口１１を閉鎖することにより、カテーテル輸注傷口を閉鎖して外界と隔離する。開口付き保護固定層の辺縁にはＵ字状の切欠口１２が設けられて、固定カテーテルと皮膚がさらに良い貼り合せ効果を有することにする。カバー部材２はその下部辺縁に設置された粘着剤層によって開口付き保護固定層１に固定され、外力作用によってカバー部材２は部分的又は全体的に脱落されて、キャビテイ１１を外界に暴露させる。カバー部材２の辺縁には突出翼２１が設置され、この突出翼２１が設置されたので、手又は他の器械でカバー部材に便利に力を施すことができ、使用する時、手で突出翼に作用して、カバー部材を引き起きる又は下ろすことができる。
【００８３】
本実施形態の開口付き保護固定層は薄型柔軟性材料からなる。
【００８４】
本実施形態において、カバー部材２は透明又は不透明材料からなり且つ閉鎖されるキャビテイに対応する領域は粘着剤層を含まなく、粘着剤が輸注傷口に対する直接刺激作用によって感染を誘発することを免れ、且つカバー部材２の辺縁に突出翼２１を設置したので、いつでも固定層の開口を便利に閉鎖するか又は露出してカテーテル輸注傷口に対して処理を行うことができ、柔軟性開口保護固定層を替えることを必要としなく、替えるために取り外す時にカテーテルを移動して輸注傷口を損傷したり皮膚を刺激することを免れる。本実施例は操作が簡単であり、被覆材を替える頻度を減少し、コストを節約する。
【００８５】
本実施形態のカテーテルは、中心静脈カテーテル（ＣＶＣ）、末梢挿入型中心静脈カテーテル（ＰＩＣＣ）、静脈留置針カテーテル及びドレーンチューブなどを備える。
【００８６】
実施例三
【００８７】
図５及び図６を参照すると、実施例二に比べて、本実施例の開口付き保護固定層１は剛性材料、例えば、プラスチック、シリカゲル、フォーム、フォームファイリング、ハイドロコロイド又は厚さを増加した不織布からなり、比較的厚く、開口１１は明らかな高さを有してキャビテイを形成する。開口付き保護固定層１にはキャビテイと外界を連通する通路１３が設置され、カテーテルＡは通路１３内に放置され、開口付き保護固定層１の下表面の粘着剤層によってカテーテルＡを皮膚に固定し、開口１１はカテーテル輸注傷口を包み、カバー部材２は開口の上端口を閉鎖する。
【００８８】
本実施例の開口１１は傷口を包むことができ、創傷面及び周辺皮膚はキャビテイ１１の境界内に包まれて、傷口が裂けることを効果的に防ぐことができ、剛性開口付き保護固定層の実体部分が創傷面に直接に接触することを免れ、傷口はいかなる異物に接触しない開口からなるキャビテイ内に位置する。剛性開口付き保護固定層は開口１１又はキャビテイ内の傷口表面皮膚の移動皺を制限することができるので、傷口をさらによく保護して異物接触摩擦及び接触性炎症反応を免れる。カバー部材２は透明材料からなるので、傷口状況を便利に観察して即時に処理することができ、装置全体を替えることを必要としない。
【００８９】
実施例四
【００９０】
図７を参照すると、上述の実施例に比べて、本実施例の傷口保護固定装置は開口付き保護固定層及びカバー部材２を備え、開口付き保護固定層は柔軟性開口保護固定層１ａ及び剛性開口保護固定層１ｂを備え、柔軟性開口保護固定層１ａ及び剛性開口保護固定層１ｂを配合使用して固定カテーテル輸注傷口及び固定カテーテルを保護する。柔軟性開口保護固定層１ａの開口をカテーテル輸注傷口と位置を合わせてから、カテーテルＡを被覆しながら傷口周囲皮膚に粘着して、カテーテルＡを固定し、輸注傷口を包む。剛性開口保護固定層１ｂは柔軟性開口保護固定層１ａの上表面に粘着固定され、柔軟性開口保護固定層１ａの境界は剛性開口保護固定層１ｂの境界より大きいので、装置全体において、ただ柔軟性開口保護固定層１ａが皮膚に粘着し、カテーテルＡは皮膚と柔軟性開口保護固定層１ａとの間に粘着され、輸注傷口は二層の固定層によって形成された開口又はキャビテイ内に位置し、カバー部材２は開口又はキャビテイを閉鎖する。
【００９１】
本実施例は柔軟性開口保護固定層１ａ及び剛性開口保護固定層１ｂを配合使用して固定カテーテル輸注傷口及び普通傷口を保護して、傷口が裂けることを防ぐことができ、柔軟性開口保護固定層１ａ又は剛性開口保護固定層１ｂの各自の長所を利用するとともに各自の短所を克服することができ、カテーテルをさらに堅固に固定し、輸注傷口をさらに効果的に保護し、一回使用時間はさらに長く、替えの回数も減少し、さらに多いコストを節約する。
【００９２】
本実施例において、柔軟性開口保護固定層１ａ及び剛性開口保護固定層１ｂはお互いに完全に重ねて粘着しなく、柔軟性開口保護固定層１ａの境界はいつも剛性開口保護固定層１ｂの境界より大きく、皮膚に粘着した固定層境界にただ柔軟性開口保護固定層１ａしかないので、それと皮膚表面は柔軟的に貼り合わせて分離脱落し難く、柔軟性開口保護固定層１ａの中間部位と剛性開口保護固定層１ｂは互いに粘着し、輸注傷口は両者の互いに吻合したキャビテイ内に位置し、且つ固定されたカテーテルを被覆して皮膚に粘着する。このような設置は、剛性開口保護固定層の移動皺を生成しない長所を利用し、ただ柔軟性開口保護固定層１ａをカテーテル、皮膚及びキャビテイに包まれる傷口に粘着した場合、皮膚が移動して皺を生成するか又は外力に引っ張られるとカテーテルＡが変位し、皮膚に皺が生成し、傷口に皺が生成し、傷口と被覆材が相対変位して摩擦を引き起こす短所を克服して、輸注傷口を損傷することを免れる。又、剛性開口保護固定層１ｂの表面全体は柔軟性開口保護固定層１ａの上表面中間部位に粘着するので、ただ剛性開口保護固定層１ｂを皮膚に粘着した場合、汗又は皮膚張力のため分離脱落し易い短所を克服する。
【００９３】
実施例五
【００９４】
図８を参照すると、実施例四に比べて、本実施例において、柔軟性開口保護固定層と剛性開口保護固定層の位置を変換して、柔軟性開口保護固定層１ａは上面に設置され、剛性開口保護固定層１ｂは柔軟性開口保護固定層１ａの下面に設置され、カバー部材２は柔軟性開口保護固定層１ａの開口を閉鎖し、このような構造は防水機能を強める。
【００９５】
実施例六
【００９６】
図９及び図１０を参照すると、実施例四に比べて、本実施例の剛性開口保護固定層１ｂの開口辺縁表面には凹部１ｃが設置され、この凹部１ｃによってカテーテルを便利に放置することができる。なお、剛性開口保護固定層１ｂの境界とその開口との間には両者を連通する隙間１ｄが設置され、この隙間１ｄによって剛性開口保護固定層１ｂは皮膚と輸注カテーテルとの間でカテーテル輸注傷口を包むことができ、カテーテル輸注傷口は開口によって形成されるキャビテイ内に位置し、このように輸注カテーテルは隙間を通過して剛性開口保護固定層１ｂの上面に設置されて、カテーテルが皮膚を長期間圧迫して損傷を招くことを免れ、特にカテーテルが子供の皮膚を長期間圧迫して損傷を招くことを免れる。
【００９７】
本実施例において、剛性開口保護固定層１ｂを輸注カテーテルの支持パッドとして使用し、柔軟性開口保護固定層１ａはカテーテル及び剛性開口保護固定層１ｂを被覆して粘着し且つその境界は引き延ばして皮膚表面に粘着して装置全体を堅固に固定し、開口の上端口はカバー部材２によって閉鎖される。このような設置も防水作用を強め、他の作用及び機能は実施例四と同じである。
【００９８】
実施例七
【００９９】
図１１を参照すると、本実施形態において、傷口保護固定装置は剛性の開口付き保護固定層１及び開口がない柔軟性保護固定層３を備える。本実施例の傷口保護固定装置は主にカテーテル輸注傷口を短期保護固定するために用いられ、替える時に装置全体を替えることを必要とする。その長所は防水機能が非常に強め、他の作用及び機能は実施例六と同じである。
【０１００】
実施例八
【０１０１】
図１２及び図１３を参照すると、実施例七に比べて、本実施例の柔軟性保護固定層３はパッド３１を有する。パッド３１によって輸注傷口の浸出液及び浸出血を吸収し、新しいカテーテル輸注傷口に適用する。他の作用及び機能は実施例七と同じである。
【０１０２】
実施例九
【０１０３】
図１４、図１５及び図１６を参照すると、本実施例の傷口保護固定装置は柔軟性の開口付き保護固定層１及びパッドを有する剛性保護固定層４を備え、剛性保護固定層４の下方にはパッド４１が設置され、開口付き保護固定層１の開口１１と境界との間には隙間１ｄが設けられ、開口付き保護固定層１はその開口１１がカテーテル輸注傷口を包むように皮膚に粘着し、輸注カテーテルは開口付き保護固定層１の上表面に位置し、パッドを有する剛性保護固定層４はカテーテルを開口付き保護固定層１の上表面に粘着してカテーテルを固定する。本実施例において、パッドを有する剛性保護固定層４は開口付き保護固定層１の上表面に粘着するので、従来の技術のようにただパッドを有する剛性保護固定層４を採用することに比べてさらに堅固である。パッドを有する剛性保護固定層４に設置されたパッド４１は傷口浸出液を吸収するために用いられ、主に新しく挿入したカテーテル輸注傷口を保護するために用いられる。剛性保護固定層４の外境界の一角には突出翼４２が設置されて、剛性保護固定層４を便利に取り外して替えることができ、本実施例においてそれは不透明であるが、通気性あり且つ浸出液を吸収することができ、透明フィルムだけで保護固定する場合、その傷口に汗が集中して引き起こす感染を免れ、主に新しいカテーテル輸注傷口を短期保護し且つカテーテルを固定するために用いられる。
【０１０４】
実施例十
【０１０５】
図１７、図１８、図１９を参照すると、本実施例の傷口保護固定装置は柔軟性材料からなる開口付き保護固定層１及びパッドを有する剛性保護固定層４を備え、柔軟性の開口付き保護固定層１はその開口１１が傷口Ｂと位置を合わせるように傷口Ｂの周囲皮膚に粘着し、パッド４１を有する剛性保護固定層４は傷口を覆って開口付き保護固定層１に粘着する。本実施例は開口付き保護固定層１によって剛性保護固定層４の固定堅固性を強め、特に活動関節部位の傷口に適用し、いかなる活動による皮膚皺は全て傷口保護固定装置を皮膚から分離脱落させない。なお、剛性保護固定層４の辺縁には突出翼４２が設置されているので、便利に取り外して替えることができ、同時に柔軟性の開口付き保護固定層１を保留することができる。
【０１０６】
実施例十一
【０１０７】
図２０、２１、２２を参照すると、本実施例に係わる傷口保護固定装置は開口付き保護固定層及びカバー部材２を備え、開口付き保護固定層は柔軟性開口保護固定層１ａ及び剛性開口保護固定層１ｂを備える。本実施例において、傷口Ｂは剛性開口保護固定層１ｂの開口内に位置するので、傷口Ｂの張力増加を制限して傷口Ｂが裂けることを防ぐことができ、傷口Ｂの表面皮膚移動皺による傷口損傷を制限することができ、異物が傷口Ｂに緊密に圧迫接触して引き起こす血液循環障害及び異物接触性炎性反応を免れ、いつでも透明なカバー部材２から傷口Ｂの癒合状況を了解して、保護固定装置全体を替えなくても、傷口に対してデブリドマン、消毒、ドレナージ処置、薬物及び局部物理治療を行うことができる。  
【０１０８】
実施例十二
【０１０９】
図２３，２４を参照すると、実施例十一に比べて、本実施例のカバー部材２の下表面にはパッド２２が設置され、パッド２２は比較的強い吸水性又は抗菌性などの機能を有する。剛性開口保護固定層１ｂのキャビテイの高さ又は容積を調整することにより、キャビテイ内に位置する傷口の上のパッド２２と傷口表面との間の距離及び接触程度を設置することができ、パッド２２が創傷面に直接に緊密に接触、圧迫して癒着、血液循環障害及び血液供給障害を招くことを免れ、且つパッド２２と傷口表面との間に浸透性吸収接触面を設置して、パッド２２が傷口滲出液を吸収する情況下でも傷口組織と癒着しないので再損傷は発生しない。本実施例において、カバー部材２の下表面に設置されたパッド２２はカテーテル輸注傷口を保護固定するためにも適用し、且つ同じ機能を発揮する。他の作用及び機能は実施例１１と同じである。  
【０１１０】
実施例十三
【０１１１】
図２５を参照すると、本実施例に係わる傷口保護固定装置は開口付き保護固定層を備え、開口付き保護固定層は柔軟性開口保護固定層１ａ及び柔軟性開口保護固定層１ａの下方に位置する剛性開口保護固定層１ｂを備え、剛性開口保護固定層１ｂは円台状であり、柔軟性開口保護固定層１ａを皮膚に粘着してから、その開口をカバー部材２で閉鎖する。このような設置はそのあるべきな作用及び機能を保留するばかりでなく、主要な意義はキャビテイ高さを増加するとともに柔軟性開口保護固定層を表面によく粘着させて傷口皮膚に固定し、且つ剛性開口保護固定層の底部面積を減少することができ、材料コストを節約する。
【０１１２】
実施例十四
【０１１３】
図２６を参照すると、本実施例に係わる傷口保護固定装置は開口付き保護固定層を備え、開口付き保護固定層は２つの柔軟性開口保護固定層１ａ、１つの剛性開口保護固定層１ｂ及びカバー部材２を備え、剛性開口保護固定層１ｂの上部には支持体５が設置される。支持体５は、帯状体であり、剛性開口保護固定層１ｂの上方に設置され且つ剛性開口保護固定層の側壁まで延在してそれに固定される。支持体５は変形し難い一定の硬度を有する材料からなり、例えば、シリコーンまたはＰＶＣ材料又は他のプラスチック材料である。剛性開口保護固定層を堅固に固定するために支持体を設置して、カバー部材が落ち込んで傷口に接触することを防ぐことができ、特に比較的大きい創傷面に対して支持体を設置することは非常に重要である。
【０１１４】
以上の実施例において、剛性開口保護固定層のキャビテイは全てその上下両端を貫通するが、実施過程において、剛性開口保護固定層のキャビテイはただ下端面を貫通して下端面には開口があり、上端面を貫通しないので上端面には開口がないこともできる。
【０１１５】
以上本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲から決まる。
【符号の説明】
【０１１６】
１  開口付き保護固定層
２  カバー部材
３  柔軟性保護固定層
４  剛性保護固定層
５  支持体
１ａ  柔軟性開口保護固定層
１ｂ  剛性開口保護固定層
１ｃ  凹部
１ｄ  隙間
１１  開口
１２  Ｕ字状の切欠口
１３  通路
２１，４２  突出翼
２２，３１，４１パッド
Ａ  カテーテル
Ｂ  傷口
【図１】
0005784244.tif 000002
【図２】
0005784244.tif 000003
【図３】
0005784244.tif 000004
【図４】
0005784244.tif 000005
【図５】
0005784244.tif 000006
【図６】
0005784244.tif 000007
【図７】
0005784244.tif 000008
【図８】
0005784244.tif 000009
【図９】
0005784244.tif 000010
【図１０】
0005784244.tif 000011
【図１１】
0005784244.tif 000012
【図１２】
0005784244.tif 000013
【図１３】
0005784244.tif 000014
【図１４】
0005784244.tif 000015
【図１５】
0005784244.tif 000016
【図１６】
0005784244.tif 000017
【図１７】
0005784244.tif 000018
【図１８】
0005784244.tif 000019
【図１９】
0005784244.tif 000020
【図２０】
0005784244.tif 000021
【図２１】
0005784244.tif 000022
【図２２】
0005784244.tif 000023
【図２３】
0005784244.tif 000024
【図２４】
0005784244.tif 000025
【図２５】
0005784244.tif 000026
【図２６】
0005784244.tif 000027